(57)【要約】【課題】本発明の目的は、店舗側は客のオーダがどの卓で行われているかが迅速は把握できるようにするとともにメニューのオーダ及びコール内容を迅速かつ正確に把握できるセルフオーダリングシステムを提供することにある。【解決手段】本発明に係るセルフオーダリングシステムは、店内の客室毎又は卓毎にメニュー注文、店員コール、その他のオーダをパネル上で行う複数台のタッチパネル式セルフオーダ端末装置と、該タッチパネル式セルフオーダ端末装置からのオーダ情報がハブを介してアクセスログの蓄積、各種コンテンツその他のサービスを行うセルフオーダリングサーバと、店内の見取図を基に構成した卓配置図をパネル上に表示し、客からのコール内容が確認でき、かつ各卓でのオーダリストの確認が可能な店員端末装置とを備えたことを特徴とする。【選択図面】  図１
2005242846.tif 000002
【特許請求の範囲】
【請求項１】
店内の客室毎又は卓毎にメニュー注文、店員コール、その他のオーダをパネル上で行う複数台のタッチパネル式セルフオーダ端末装置と、該タッチパネル式セルフオーダ端末装置からのオーダ情報がハブを介してアクセスログの蓄積、各種コンテンツその他のサービスを行うセルフオーダリングサーバと、店内の見取図を基に構成した卓配置図をパネル上に表示し、客からのコール内容が確認でき、かつ各卓でのオーダリストの確認が可能な店員端末装置とを備えたことを特徴とするセルフオーダリングシステム。
【請求項２】
上記タッチパネル式セルフオーダ端末装置に表示されるメニューを登録するメニュー登録・メニュー変更・メニュー削除、客に料理レシピの公開等のメニューに関する情報、その他の情報を管理する管理端末装置を備えていることを特徴とする請求項１記載のセルフオーダリングシステム。
【発明の詳細な説明】
【技術分野】
【０００１】
本発明はレストラン、食堂等の飲食物を提供する場所において使用するＬＡＮ形式のセルフオーダリングシステムに関する。
【背景技術】
【０００２】
従来、この種の電子オーダシステムとして、店舗に来店した客が、ネットワークを介して所望の商品の提供を依頼するオーダを該店舗の店員に向けて送信するためのシステムであって、提供可能な商品をメニュー表示し、該メニューのなかから所望する商品の種類、及びその数を前記オーダとして客に入力させるとともに、前記ネットワーク上で決済を行うための個人情報を入力させることができる第１の端末装置と、前記ネットワークを介して、前記第１の端末装置から客が入力したオーダ、及び個人情報を受信し、該受信したオーダを所定の表示装置に表示させるとともに、該オーダによって提供する商品の代金の支払いを該個人情報で指定された客の契約先に要求して精算を行う第２の端末装置と、を具備したものがある(特開２００1−２９７３７８参照)。
【特許文献１】特開２００３−２５７６８号公報
【発明の開示】
【発明が解決しようとする課題】
【０００３】
上記従来の電子オーダシステムにおいては、店舗に来店した客は、店員の対応に依存しなければならない部分が減少して、店舗をより快適、且つ、気軽に利用することができ、店舗側は、より少ない人数で全ての客に適切に対応できるようになることから、サービスの質の向上や人件費の削減などの効果を得ることができる問い利点を有する反面、店舗側は客のオーダがどのテーブルで行われているかが迅速は把握できないために、客へのサービスを迅速に対応できないという難点があった。また、客が店員をコールしたときに店員がコールしたテーブルに行ってから客にコール内容を確認してから再度コール内容のサービスを提供していたのでは時間がかかり、良質のサービスを提供することができない。
【０００４】
本発明は上記の点に鑑みてなされたもので、その目的とするところは、店舗側は客のオーダがどのテーブルで行われているかが迅速は把握できるようにするとともにメニューのオーダ及びコール内容を迅速かつ正確に把握できるセルフオーダリングシステムを提供することにある。
【課題を解決するための手段】
【０００５】
本発明に係るセルフオーダリングシステムは、店内の客室毎又はテーブル毎にメニュー注文、店員コール、その他のオーダをパネル上で行う複数台のタッチパネル式セルフオーダー端末装置と、該タッチパネル式セルフオーダ端末装置からのオーダ情報がハブを介してアクセスログの蓄積、各種コンテンツその他のサービスを行うセルフオーダリングサーバと、店内の見取図を基に構成した卓配置図をパネル上に表示し、客からのコール内容が確認でき、かつ各卓でのオーダリストの確認が可能な店員端末装置とを備えたものである。
【０００６】
本発明に係るセルフオーダリングシステムは、上記タッチパネル式セルフオーダ端末装置に表示されるメニューその他の関連情報を登録するために、メニュー登録・メニュー変更・メニュー削除、客に料理レシピの公開等のメニューに関する情報、その他の情報を管理する管理端末装置を備えているものである。
【発明の効果】
【０００７】
・店舗側は客のオーダがどのテーブルで行われているかが店員端末装置のパネル上に表示される店内の見取図を基に構成した卓配置図を見ることにより、実際の店内に配置されている卓と同じイメージを抱きながら行動することができ、メニュー注文、店員コール及び各卓でのオーダリストの確認が迅速はかつ正確に把握できる。
・店舗内で客が店員を呼びたいときに、メニュー情報端末の『店員呼出し』を押すことで、タッチパネル式セルフオーダ端末装置に表示して告知することができる。
・店員端末装置の画面には、店舗内座席の配置に基づいたレイアウトが表示されており、『店員呼出し』があった場合には、該当する座席番号が赤色等に点灯して告知される。
・タッチパネル式セルフオーダ端末装置には、通常の注文メニューの他に、店員を呼んで依頼する、例えば、お箸、取り分け皿、おしぼり、お水、お茶などの無料サービス品目が表示され、パネル上の該当する箇所にタッチしてそれらを希望すると、店員端末装置の画面で『店員呼出し』により点灯した座席番号をタッチすることで、呼び出しのサービス内容が画面上に表示されるので、店員がサービス内容の確認のためにいちいち客の席に行かずに直接、依頼されたサービスを提供することができる。
【０００８】
・また、宴会メニューなど、客は希望するメニュー品目を直接パネル上でタッチして注文するが実際には店員がメニュー構成、調理方法など店員が直接、客に聞き取る必要があるメニューについてもセルフオーダリングサーバで変換して店員端末装置に『店員呼出し』として表示することができる。
・店員端末装置の店舗内座席の配置に基づいたレイアウトされた座席番号を直接タッチすることで、セルフオーダリングサーバを経由して会計処理装置に対してその座席でそれまでに発生しているオーダ履歴データを請求し、その受信結果を再びセルフオーダリングサーバを経由して店員端末装置に表示することができる。
【発明を実施するための最良の形態】
【０００９】
以下、本発明の一実施例を図面に基づいて説明する。  
本発明に係るセルフオーダリングシステムは、店内の客室毎又はテーブル毎にメニュー注文、店員コール、その他のオーダをパネル上で行う複数台のタッチパネル式セルフオーダ端末装置と、該タッチパネル式セルフオーダ端末装置からのオーダ情報がハブを介してアクセスログの蓄積、各種コンテンツその他のサービスを行うセルフオーダリングサーバと、店内の見取図を基に構成した卓配置図をパネル上に表示し、客からのコール内容が確認でき、かつ各卓でのオーダリストの確認が可能な店員端末装置とを備えている。
すなわち、本システムは、店舗内の座席で来店客がメニュー情報や店舗からの情報を検索して表示したり、注文を入力する複数のメニュー情報端末と、そのメニュー情報端末を構内ＬＡＮを経由して管理するデータ処理装置の役割を果たすセルフオーダリングサーバと、同じ構内ＬＡＮに接続されており、セルフオーダリングサーバを経由して座席の各種情報を表示する店員端末装置とで構成される。
本装置は図１に示すようにＰＯＳシステムに接続されており、ハブを介して食事代金を等を扱うキャッシャーとしてのＰＯＳターミナルと接続され、かつオーダ履歴や会計を処理するオーダステーションとも接続され、さらに本システムを使用しない客その他の場合に対応するために設置したハンディターミナル無線局の親局、子局を介して操作するハンディターミナル装置も設けている他に、本システムによりオーダされた食事内容を調理場に知らせるためのキッチンプリンタとも接続されている。
【００１０】
・店舗内座席のレイアウト表示
店員端末装置の画面上では、店員呼出しやオーダー履歴表示などの操作を視覚的に認識・操作できるように、店舗内の座席配置と同様のレイアウトで表示されている(図１参照)。
・メニュー情報端末となるタッチパネル式セルフオーダ端末装置の稼動状況モニター
来店客があって、タッチパネル式セルフオーダ端末装置を提供する場合、ハブを介してタッチパネル式セルフオーダ端末装置に座席番号を入力する。その情報はデータ処理装置であるセルフオーダリングサーバで管理し、店員情報端末装置の座席番号の表示色を例えば青色等に変換して稼動中であることをモニターする。また店員情報端末装置の座席番号が来客のない、いわゆる空席の場合はその該当する座席番号を例えば白色等でパネルに表示する。
・店員呼出しの表示
来店客がタッチパネル式セルフオーダ端末装置のメニュー情報端末の画面上で『店員呼出し』をタッチして選択し、その次の画面に表示される依頼内容を選択して『呼び出し』をタッチして選択すると、セルフオーダリングサーバを経由して店員端末装置の画面上に当該座席番号の表示色を変換して告知する。
【００１１】
・特別メニューの注文による店員呼び出しの表示
来店客がタッチパネル式セルフオーダ端末装置もメニュー情報の画面をタッチして、宴会メニューなど店員が人数、品目構成、調理法などの詳細を聞き取る必要があるメニューを選択した場合、その注文データはセルフオーダリングサーバを経由して店員端末装置の画面上の当該座席番号の表示色を変換して告知する。店員は、店員端末装置の座席番号をタッチして上記の特別メニューの注文があったことを認識し、スムーズに対応できる。
・オーダー履歴の表示
来店客が希望のメニュー品目をタッチパネル式セルフオーダ端末装置のメニュー情報の画面上でタッチして選択すると、その注文データはセルフオーダリングサーバを経由して、会計処理装置（ＰＯＳ）に送信され、座席番号別に蓄積される。店員端末装置で『オーダー履歴』を選択して店員端末装置の画面上の座席番号をタッチすると、その要求データがセルフオーダリングサーバを経由して会計処理装置（ＰＯＳ）に送信され、会計処理装置が蓄積している当該座席からのオーダー履歴情報をセルフオーダリングサーバ経由で受信し表示する。
・エラー表示
タッチパネル式セルフオーダ端末装置のメニュー情報からの注文操作、或いは、店員端末装置での座席別オーダ履歴表示の操作など、セルフオーダリングサーバと会計処理装置（ＰＯＳ）との相互通信機能が、何らかの理由で達成できない場合は、エラー表示を行う。
【００１２】
・店員呼び出しの確認と表示項目の取り消し
客がタッチパネル式セルフオーダ端末装置からデータ処理装置であるセルフオーダリングサーバを経由して店員呼出しがあって、店員端末装置でその座席番号をタッチして内容を確認したら、店員端末装置の画面上にある「確認したので閉じる」をタッチして閉じることで、店員呼び出しの内容は消去される。
【図面の簡単な説明】
【００１３】
【図１】本発明に係るセルフオーダリングシステムの構成図を示す。
【図２】店員端末装置に表示される店舗内の座席配置と同様のレイアウトを示す。
【図３】店員端末装置に表示されるサービス内容を示すコール内容表示を示す。
【図４】店員端末装置に表示されるレイアウト表示の通信エラーを示す図である。
【図５】店員端末装置に表示されるエラー内容表示を示す図である。
【図６】オーダ履歴法事を示すフローシートである。
【図７】店員呼び出し(サービス)を示すフローシートである。
【図８】店員呼び出し(特別メニューオーダ時)を示すフローシートである。
【図９】システム通信エラー表示を示すフローシートである。
【図１０】来客状況を示す稼働モニタ表示を示す図である。
【図１】
2005242846.tif 000003
【図２】
2005242846.tif 000004
【図３】
2005242846.tif 000005
【図４】
2005242846.tif 000006
【図５】
2005242846.tif 000007
【図６】
2005242846.tif 000008
【図７】
2005242846.tif 000009
【図８】
2005242846.tif 000010
【図９】
2005242846.tif 000011
【図１０】
2005242846.tif 000012